(57)【要約】【課題】画像形成装置において基本色のトナーと特殊色のトナーの上下の重なりの位置関係を変更されても、特色を意図した色で出力できるようにする。【解決手段】画像形成部２０は、基本色のトナーと特殊色のトナーで画像を形成する。特殊色のトナーは、基本色のトナーの背面と前面に配置可能となっている。特色の画像を形成する場合、画像処理装置１２は、記録媒体において最背面となる特殊色のトナーの色と、最前面となる特殊色のトナーの色の種別を取得する。画像処理装置１２は、特色を描画するために用いる特殊色の配置位置に応じて、特色の版データを基本色の版データと特殊色の版データに合成するためのルックアップテーブルを出力し、出力したルックアップテーブルを用いて、特色の版データを、基本色の版データと特殊色の版データに合成する。【選択図】図１
2019186603.tif 000002
【特許請求の範囲】
【請求項１】
画像形成装置において基本色のトナーと特殊色のトナーとにより形成される画像における前記基本色のトナーと前記特殊色のトナーの上下の重なりの位置関係を表す情報を取得する取得手段と、
特色を前記基本色と前記特殊色との組み合わせにより定義する定義手段と、
前記特色を前記組み合わせで用いられる前記基本色へ変換する基本色変換テーブルと、前記特色を前記組み合わせで用いられる前記特殊色へ変換する特殊色変換テーブルとを、前記情報が表す位置関係に応じて出力する出力手段と、
を備える色変換装置。
【請求項２】
前記出力手段は、前記基本色のトナーに対して上に位置する特殊色のトナーの色と、前記基本色のトナーに対して下に位置する特殊色のトナーの色とが同じである場合、予め定められた設定に従って前記基本色変換テーブルと前記特殊色変換テーブルを出力する
請求項１に記載の色変換装置。
【請求項３】
前記出力手段は、前記特色が前記画像形成装置において前記基本色のトナーに対して上に位置する特殊色のトナーと、前記基本色のトナーに対して下に位置する特殊色のトナーの両方を用いて出力されるように、前記基本色変換テーブルと前記特殊色変換テーブルを出力する
請求項２に記載の色変換装置。
【請求項４】
前記出力手段は、前記特色に対して予め設定されている前記基本色と前記特殊色との位置関係に応じて、前記基本色変換テーブルと前記特殊色変換テーブルを出力する
請求項２に記載の色変換装置。
【請求項５】
前記出力手段は、前記画像形成装置において画像を形成する前記特殊色のトナーの色が、前記定義手段で前記特色の定義に用いられる特殊色と異なる場合、前記基本色変換テーブルと前記特殊色変換テーブルの生成を行わない
請求項１に記載の色変換装置。
【請求項６】
前記画像形成装置において画像を形成する前記特殊色のトナーの色が、前記定義手段で前記特色の定義に用いられる特殊色と異なることを通知する通知手段
を備える請求項５に記載の色変換装置。
【請求項７】
コンピュータを、
画像形成装置において基本色のトナーと特殊色のトナーとにより形成される画像における前記基本色のトナーと前記特殊色のトナーの上下の重なりの位置関係を表す情報を取得する取得手段と、
特色を前記基本色と前記特殊色との組み合わせにより定義する定義手段と、
前記特色を前記組み合わせで用いられる前記基本色へ変換する基本色変換テーブルと、前記特色を前記組み合わせで用いられる前記特殊色へ変換する特殊色変換テーブルとを、前記情報が表す位置関係に応じて出力する出力手段
として機能させるためのプログラム。
【請求項８】
基本色のトナーによりトナー像を形成する第１画像形成部と、
特殊色のトナーによりトナー像を形成する第２画像形成部と、
前記第１画像形成部により形成されるトナー像と、前記第２画像形成部により形成されるトナー像を重ねて記録媒体に転写する転写部と、
前記基本色のトナーと前記特殊色のトナーとにより形成される画像における前記基本色のトナーと前記特殊色のトナーの上下の重なりの位置関係を表す情報を取得する取得手段と、
特色を前記基本色と前記特殊色との組み合わせにより定義する定義手段と、
前記特色を前記組み合わせで用いられる前記基本色へ変換する基本色変換テーブルと、前記特色を前記組み合わせで用いられる前記特殊色へ変換する特殊色変換テーブルとを、前記情報が表す位置関係に応じて出力する出力手段と
を備える画像形成装置。
【請求項９】
基本色のトナーによりトナー像を形成する第１画像形成部と、
特殊色のトナーによりトナー像を形成する第２画像形成部と、
前記第１画像形成部により形成されるトナー像と、前記第２画像形成部により形成されるトナー像を重ねて記録媒体に転写する転写部と、
を有する画像形成装置と、
前記基本色のトナーと前記特殊色のトナーとにより形成される画像における前記基本色のトナーと前記特殊色のトナーの上下の重なりの位置関係を表す情報を取得する取得手段と、
特色を前記基本色と前記特殊色との組み合わせにより定義する定義手段と、
前記特色を前記組み合わせで用いられる前記基本色へ変換する基本色変換テーブルと、前記特色を前記組み合わせで用いられる前記特殊色へ変換する特殊色変換テーブルとを、前記情報が表す位置関係に応じて出力する出力手段と
を有する色変換装置と
を備える画像形成システム。
【発明の詳細な説明】
【技術分野】
【０００１】
本発明は、色変換装置、プログラム、画像形成装置及び画像形成システムに関する。
【背景技術】
【０００２】
シアン、マゼンタ、イエロー及びブラックといった通常色のトナーと、通常色以外の特殊色の特殊トナーとで特色を出力する発明として、例えば特許文献１に開示された画像形成システムがある。この画像形成システムは、ホストコンピュータにおいて、特色に置換される色がユーザにより指定され、指定された色に対して重ねる特殊トナーと、通常色のトナーと特殊トナーの重なりの位置関係がユーザにより指定されると、指定された位置関係に応じた順番で通常色の版のラスタライズと特殊色の版のラスタライズを行う。
【先行技術文献】
【特許文献】
【０００３】
【特許文献１】特開２０１６−１０３６９５号公報
【発明の概要】
【発明が解決しようとする課題】
【０００４】
画像形成に用いられるシアン、マゼンタ、イエロー及び黒の基本色のトナーと、基本色以外の特殊色のトナーの上下の重なりの位置関係を指定する場合、ユーザが指定した位置関係と、画像形成装置における基本色のトナーと特殊色のトナーの上下の重なりの位置関係が異なると、ユーザが指定した位置関係で特殊色のトナーと基本色のトナーが重ならず、出力される特色がユーザの意図した色にならない虞がある。このため、例えば画像形成装置が、基本色のトナーに対する特殊色のトナーの上下の重なりの位置関係を変更できる構成である場合、ユーザは、特色を記録媒体に出力する際に、出力される特色が意図した色にならないことを防ぐため、基本色のトナーでトナー像を形成する画像形成ユニットと、特殊色のトナーでトナー像を形成する画像形成ユニットの配置位置を確認し、基本色のトナーと特殊色のトナーの上下の重なりの位置関係や当該特色を基本色と特殊色で表すときの基本色と特殊色の割合を指定することとなり、手間がかかることとなる。
【０００５】
本発明は、画像形成装置において基本色のトナーと特殊色のトナーの上下の重なりの位置関係を変更されても、特色を意図した色で出力できるようにすることを目的とする。
【課題を解決するための手段】
【０００６】
本発明の請求項１に係る色変換装置は、画像形成装置において基本色のトナーと特殊色のトナーとにより形成される画像における前記基本色のトナーと前記特殊色のトナーの上下の重なりの位置関係を表す情報を取得する取得手段と、特色を前記基本色と前記特殊色との組み合わせにより定義する定義手段と、前記特色を前記組み合わせで用いられる前記基本色へ変換する基本色変換テーブルと、前記特色を前記組み合わせで用いられる前記特殊色へ変換する特殊色変換テーブルとを、前記情報が表す位置関係に応じて出力する出力手段と、を備える。
【０００７】
本発明の請求項２に係る色変換装置においては、前記出力手段は、前記基本色のトナーに対して上に位置する特殊色のトナーの色と、前記基本色のトナーに対して下に位置する特殊色のトナーの色とが同じである場合、予め定められた設定に従って前記基本色変換テーブルと前記特殊色変換テーブルを出力する。
【０００８】
本発明の請求項３に係る色変換装置においては、前記出力手段は、前記特色が前記画像形成装置において前記基本色のトナーに対して上に位置する特殊色のトナーと、前記基本色のトナーに対して下に位置する特殊色のトナーの両方を用いて出力されるように、前記基本色変換テーブルと前記特殊色変換テーブルを出力する。
【０００９】
本発明の請求項４に係る色変換装置においては、前記出力手段は、前記特色に対して予め設定されている前記基本色と前記特殊色との位置関係に応じて、前記基本色変換テーブルと前記特殊色変換テーブルを出力する。
【００１０】
本発明の請求項５に係る色変換装置においては、前記出力手段は、前記画像形成装置において画像を形成する前記特殊色のトナーの色が、前記定義手段で前記特色の定義に用いられる特殊色と異なる場合、前記基本色変換テーブルと前記特殊色変換テーブルの生成を行わない。
【００１１】
本発明の請求項６に係る色変換装置は、前記画像形成装置において画像を形成する前記特殊色のトナーの色が、前記定義手段で前記特色の定義に用いられる特殊色と異なることを通知する通知手段を備える。
【００１２】
本発明の請求項７に係るプログラムは、コンピュータを、画像形成装置において基本色のトナーと特殊色のトナーとにより形成される画像における前記基本色のトナーと前記特殊色のトナーの上下の重なりの位置関係を表す情報を取得する取得手段と、特色を前記基本色と前記特殊色との組み合わせにより定義する定義手段と、前記特色を前記組み合わせで用いられる前記基本色へ変換する基本色変換テーブルと、前記特色を前記組み合わせで用いられる前記特殊色へ変換する特殊色変換テーブルとを、前記情報が表す位置関係に応じて出力する出力手段として機能させるためのプログラムである。
【００１３】
本発明の請求項８に係る画像形成装置は、基本色のトナーによりトナー像を形成する第１画像形成部と、特殊色のトナーによりトナー像を形成する第２画像形成部と、前記第１画像形成部により形成されるトナー像と、前記第２画像形成部により形成されるトナー像を重ねて記録媒体に転写する転写部と、前記基本色のトナーと前記特殊色のトナーとにより形成される画像における前記基本色のトナーと前記特殊色のトナーの上下の重なりの位置関係を表す情報を取得する取得手段と、特色を前記基本色と前記特殊色との組み合わせにより定義する定義手段と、前記特色を前記組み合わせで用いられる前記基本色へ変換する基本色変換テーブルと、前記特色を前記組み合わせで用いられる前記特殊色へ変換する特殊色変換テーブルとを、前記情報が表す位置関係に応じて出力する出力手段とを備える。
【００１４】
本発明の請求項９に係る画像形成システムは、基本色のトナーによりトナー像を形成する第１画像形成部と、特殊色のトナーによりトナー像を形成する第２画像形成部と、前記第１画像形成部により形成されるトナー像と、前記第２画像形成部により形成されるトナー像を重ねて記録媒体に転写する転写部と、を有する画像形成装置と、前記基本色のトナーと前記特殊色のトナーとにより形成される画像における前記基本色のトナーと前記特殊色のトナーの上下の重なりの位置関係を表す情報を取得する取得手段と、特色を前記基本色と前記特殊色との組み合わせにより定義する定義手段と、前記特色を前記組み合わせで用いられる前記基本色へ変換する基本色変換テーブルと、前記特色を前記組み合わせで用いられる前記特殊色へ変換する特殊色変換テーブルとを、前記情報が表す位置関係に応じて出力する出力手段とを有する色変換装置とを備える。
【発明の効果】
【００１５】
本発明の請求項１に係る色変換装置によれば、画像形成装置において基本色のトナーと特殊色のトナーの上下の重なりの位置関係を変更されても、特色を意図した色で出力できる。
本発明の請求項２に係る色変換装置によれば、特色に適した特殊色の配置に対応してテーブルを生成することができる。
本発明の請求項３に係る色変換装置によれば、特殊色を基本色の上下のいずれかにしか出力しない構成と比較して、特殊色を濃く出力することができる。
本発明の請求項４に係る色変換装置によれば、特色に適した特殊色の配置に対応して変換テーブルを生成することができる。
本発明の請求項５に係る色変換装置によれば、特色が意図しない色で出力されるのを防ぐことができる。
本発明の請求項６に係る色変換装置によれば、画像形成装置が特色の定義に対応していないことをユーザに通知することができる。
本発明の請求項７に係るプログラムによれば、画像形成装置において基本色のトナーと特殊色のトナーの上下の重なりの位置関係を変更されても、特色を意図した色で出力できる。
本発明の請求項８に係る画像形成装置によれば、画像形成装置において基本色のトナーと特殊色のトナーの上下の重なりの位置関係を変更されても、特色を意図した色で出力できる。
本発明の請求項９に係る画像形成システムによれば、画像形成装置において基本色のトナーと特殊色のトナーの上下の重なりの位置関係を変更されても、特色を意図した色で出力できる。
【図面の簡単な説明】
【００１６】
【図１】本発明の一実施形態である画像形成システム１に係る装置を示した図。
【図２】画像形成装部２０の構成を示した図。
【図３】画像形成ユニット２４の構成を示した図。
【図４】画像処理装置１２の構成を示したブロック図。
【図５】画像処理装置１２の機能の構成を示した機能ブロック図。
【図６】特色を定義する定義画面の一例を示した図。
【図７】制御部１０１が実行する処理の流れを示したフローチャート。
【図８】制御部１０１が実行する処理の流れを示したフローチャート。
【図９】実施形態の動作例を説明するための図。
【図１０】実施形態の動作例を説明するための図。
【図１１】実施形態の動作例を説明するための図。
【図１２】変形例の動作例を説明するための図。
【発明を実施するための形態】
【００１７】
［実施形態］
（実施形態の構成）
次に、本発明の実施形態について説明する。図１は、本発明の一実施形態である画像形成システム１に係る装置を示した図である。画像形成システム１は、画像処理装置１２、画像形成装置１４及び後処理装置１６を有する。画像処理装置１２は、記録媒体に形成する画像を表すラスタデータを画像形成装置１４に供給すると共に、画像形成装置１４及び後処理装置１６を制御する。画像処理装置１２は、操作部１７を有し、この操作部１７は、ユーザからの各種の入力を受け付ける。画像処理装置１２は、本発明に係る色変換装置の一例である。画像形成装置１４は、記録媒体を供給する記録媒体供給部１８及び記録媒体に画像を形成する画像形成部２０を有する。記録媒体供給部１８は、例えば記録媒体としてカット紙又は連続用紙を画像形成部２０に供給する。画像形成装置１４は、本発明に係る画像形成装置の一例である。
【００１８】
図２は、画像形成部２０の構成を示した図である。画像形成部２０は、トナー像が転写される中間転写ベルト２２を有する。中間転写ベルト２２の上方には、中間転写ベルト２２に転写するトナー像を形成する画像形成ユニット２４Ｙ、２４Ｍ、２４Ｃ、２４Ｋ、２４Ｓ１、２４Ｓ２が配置されている。また、画像形成ユニット２４Ｙ、２４Ｍ、２４Ｃ、２４Ｋ、２４Ｓ１、２４Ｓ２の上方には、光走査装置３４Ｙ、３４Ｍ、３４Ｃ、３４Ｋ、３４Ｓ１、３４Ｓ２が配置されている。画像形成ユニット２４Ｙ、２４Ｍ、２４Ｃ、２４Ｋは、本発明に係る第１画像形成部の一例であり、画像形成ユニット２４Ｓ１、２４Ｓ２は、本発明に係る第２画像形成部の一例である。
【００１９】
光走査装置３４Ｙは、画像形成ユニット２４Ｙに対応し、光走査装置３４Ｍは、画像形成ユニット２４Ｍに対応し、光走査装置３４Ｃは、画像形成ユニット２４Ｃに対応し、光走査装置３４Ｋは、画像形成ユニット２４Ｋに対応している。また、光走査装置３４Ｓ１は、画像形成ユニット２４Ｓ１に対応し、光走査装置３４Ｓ２は、画像形成ユニット２４Ｓ２に対応している。光走査装置３４Ｙ、３４Ｍ、３４Ｃ、３４Ｋ、３４Ｓ１、３４Ｓ２は、対応する画像形成ユニットが異なる以外は同じ構成であるため、以下各々を区別する必要がない場合は、光走査装置３４と称する。
【００２０】
光走査装置３４は、対応する画像形成ユニットが有する感光体ドラムにレーザ光を照射して感光体ドラムに静電潜像を形成する。具体的には、光走査装置３４Ｙは、画像処理装置１２から供給されるイエローの版を表すラスタデータに従って静電潜像を形成し、光走査装置３４Ｍは、画像処理装置１２から供給されるマゼンタの版を表すラスタデータに従って静電潜像を形成し、光走査装置３４Ｃは、画像処理装置１２から供給されるシアンの版を表すラスタデータに従って静電潜像を形成し、光走査装置３４Ｋは、画像処理装置１２から供給される黒の版を表すラスタデータに従って静電潜像を形成する。また、光走査装置３４Ｓ１は、画像処理装置１２から供給される第１の特殊色の版を表すラスタデータに従って静電潜像を形成し、光走査装置３４Ｓ２は、画像処理装置１２から供給される第２の特殊色の版を表すラスタデータに従って静電潜像を形成する。
【００２１】
画像形成ユニット２４Ｙは、イエローのトナーでトナー像を形成し、画像形成ユニット２４Ｍは、マゼンタのトナーでトナー像を形成し、画像形成ユニット２４Ｃは、シアンのトナーでトナー像を形成し、画像形成ユニット２４Ｋは、黒のトナーでトナー像を形成する。イエロー、マゼンタ、シアン及び黒のトナーは、本発明に係る基本色のトナーである。画像形成ユニット２４Ｓ１は、第１の特殊色のトナーでトナー像を形成し、画像形成ユニット２４Ｓ２は、第２の特殊色のトナーでトナー像を形成する。特殊色のトナーとしては、例えば、金、銀、透明、白、オレンジのトナーなどがある。特殊色のトナーは、本発明に係る特殊色のトナーである。画像形成ユニット２４Ｙ、２４Ｍ、２４Ｃ、２４Ｋ、２４Ｓ１、２４Ｓ２は、トナー像の形成に用いるトナーが異なる以外は同じ構成であるため、以下各々を区別する必要がない場合は、画像形成ユニット２４と称する。
【００２２】
本実施形態においては、画像形成ユニット２４は、中間転写ベルト２２の回転方向上流側から下流側に向かって画像形成ユニット２４Ｓ１、画像形成ユニット２４Ｙ、画像形成ユニット２４Ｍ、画像形成ユニット２４Ｃ、画像形成ユニット２４Ｋ、画像形成ユニット２４Ｓ２の順で並んでいる。このため、画像形成ユニット２４から中間転写ベルト２２に転写されたトナー像は、中間転写ベルト２２においては、第１の特殊色、イエロー、マゼンタ、シアン、黒、第２の特殊色の順番で重なることとなり、第１の特殊色が最背面となり、第２の特殊色が最前面となる。また、中間転写ベルト２２から記録媒体に転写されると、記録媒体に転写されたトナー像は、第２の特殊色、黒、シアン、マゼンタ、イエロー、第１の特殊色の順番で重なっており、第２の特殊色が最背面となり、第１の特殊色が最前面となる。一次転写ロール３６、中間転写ベルト２２及び二次転写ロール３８は、本発明に係る転写部の一例である。
【００２３】
本実施形態においては、画像形成ユニット２４Ｓ１で使用されるトナーと画像形成ユニット２４Ｓ２で使用されるトナーとを同じ特殊色とすることが可能であり、この場合、画像形成ユニット２４Ｓ１と画像形成ユニット２４Ｓ２とで同じ色のトナー像を形成することができる。また、画像形成ユニット２４Ｓ１で使用されるトナーと画像形成ユニット２４Ｓ２で使用されるトナーとを異なる特殊色とすることも可能であり、この場合、画像形成ユニット２４Ｓ１と画像形成ユニット２４Ｓ２とで異なる色のトナー像を形成することができる。また、本実施形態においては、画像形成ユニット２４Ｓ１と画像形成ユニット２４Ｓ２は、オペレータによって着脱が可能であり、画像形成ユニット２４Ｓ１を装備せず、且つ、画像形成ユニット２４Ｓ２を装備する構成、又は、画像形成ユニット２４Ｓ１を装備し、且つ、画像形成ユニット２４Ｓ２を装備しない構成とすることができる。
【００２４】
図３は、画像形成ユニット２４の構成を示した図である。画像形成ユニット２４は、電子写真方式で画像を形成するユニットであり、感光体ドラム２６、帯電装置２８、現像装置３０、クリーニング装置３２で構成されている。感光体ドラム２６は、トナー像を保持する円筒形状の像保持体であり、帯電装置２８は、感光体ドラム２６の表面を一様に帯電する装置である。現像装置３０は、感光体ドラム２６上に形成された静電潜像を現像する装置であり、クリーニング装置３２は、感光体ドラム２６に付着しているトナーを除去する装置である。
【００２５】
画像形成ユニット２４においては、感光体ドラム２６は、帯電装置２８により一様に帯電され、画像形成ユニット２４に対応した光走査装置３４により照射されたレーザ光により感光体ドラム２６に静電潜像が形成される。感光体ドラム２６に形成された静電潜像は、現像装置３０から供給されるトナーで現像される。中間転写ベルト２２を挟んで感光体ドラム２６に対向した位置には一次転写ロール３６が設けられている。現像装置３０により現像されたトナー像は、一次転写ロール３６により中間転写ベルト２２に転写される。トナー像の転写工程の後に感光体ドラム２６に付着している残留トナー及び紙粉等は、クリーニング装置３２によって除去される。
【００２６】
画像形成ユニット２４により中間転写ベルト２２に転写されたトナー像は、記録媒体供給部１８から供給された記録媒体へ二次転写ロール３８により二次転写される。トナー像が転写された記録媒体は、定着ユニット４０に送られ、例えば熱と圧力とによりトナー像が記録媒体に定着させられる。このようにトナー像が定着された記録媒体は、さらに冷却ユニット４２により冷却される。
【００２７】
次に画像処理装置１２の構成について説明する。図４は、画像処理装置１２の構成の一例を示したブロック図である。操作部１７は、制御部１０１に接続されており、ディスプレイ装置、タッチパネル、キーボードを有する。操作部１７は、画像形成システム１の操作や設定を行うための各種画面をディスプレイ装置により表示し、タッチパネルやキーボードにより、ユーザからの各種の入力や指示を受け付ける。
【００２８】
通信部１０５は、データ通信を行うための通信インターフェースであり、データ通信を行うネットワークと制御部１０１に接続されている。通信部１０５は、ネットワークに接続されたコンピュータ装置から送信された原稿データを受信する。原稿データは、記録媒体に形成する画像を表すデータであり、例えば、ページ記述言語で記述されたデータである。ページ記述言語で記述された原稿データは、形成する画像に含まれるオブジェクトと、オブジェクトの色を指定するデータを含む。また、通信部１０５は、受信した原稿データを処理して得られたラスタデータを、画像形成部２０へ送信する。画像形成部２０に供給されるラスタデータとしては、イエローの版のラスタデータ、マゼンタの版のラスタデータ、シアンの版のラスタデータ、黒の版のラスタデータ、第１の特殊色の版のラスタデータ及び第２の特殊色の版のラスタデータがある。
【００２９】
記憶部１０２は、データを記憶する記憶装置を有しており、制御部１０１に接続されている。記憶部１０２は、制御部１０１が有するＣＰＵにより実行されるプログラムを記憶する。
【００３０】
制御部１０１は、ＣＰＵ（Central Processing Unit）及びメモリを有している。画像処理装置１２において実現する機能は、記憶部１０２に記憶されているプログラム（ソフトウェア）をＣＰＵ、メモリなどのハードウェア上に読み込ませることでＣＰＵが演算を行い、記憶部１０２の制御、通信部１０５の制御、メモリ及び記憶部１０２におけるデータの読み出し及び／又は書き込みの制御を行うことで実現される。例えば、本実施形態においては、基本色の組み合わせで表現できない色である特色を定義して登録する機能が実現する。また、本実施形態においては、原稿データからラスタデータを生成する機能が実現する。
【００３１】
図５は、制御部１０１がプログラムを実行することにより実現する機能のうち、本発明に係る機能の構成を示した機能ブロック図である。なお、各機能は、一部又は全部をハードウェアによって実現してもよい。
取得部１００２は、画像形成装置１４において基本色のトナーと特殊色のトナーとにより形成される画像における基本色のトナーと特殊色のトナーの上下の重なりの位置関係を表す情報を取得する。取得部１００２は、本発明に係る取得手段の一例である。
定義部１００１は、特色をオペレータの操作に応じて基本色と特殊色との組み合わせにより定義する。定義部１００１は、本発明に係る定義手段の一例である。
出力部１００３は、特色を特色の定義で定義された組み合わせで用いられる基本色へ変換するルックアップテーブルと、特色を特色の定義で定義された組み合わせで用いられる特殊色へ変換するルックテーブルとを、取得部１００２が取得した情報が表す位置関係に応じて出力する。出力部１００３は、本発明に係る出力手段の一例である。
【００３２】
（実施形態の動作例）
次に本実施形態の動作例について、まず、画像処理装置１２において特色を定義して登録するときの動作例について説明する。特色を定義するための画面の表示を指示する操作をオペレータが操作部１７において行うと、画像処理装置１２は、特色の定義を行うための定義画面７０を操作部１７のディスプレイ装置で表示する。
【００３３】
図６は、定義画面７０の一例を示した図である。定義画面７０は、オペレータにより定義される特色の名称を入力するための名称入力部７３を有する。名称入力部７３に入力する名称は、色見本を提供する業者が名付けた名称であってもよく、また、オペレータが任意に名付けた名称であってもよい。
【００３４】
第１定義部７１は、特色をＬａｂ色空間のＬ＊ａ＊ｂ＊値又はＣＭＹＫ色空間のＣＭＹＫ値で定義するユーザインターフェースである。第１定義部７１には、Ｌ＊ａ＊ｂ＊値又はＣＭＹＫ値のいずれかを選択する選択ボタンが含まれている。Ｌ＊ａ＊ｂ＊値は、−１００から＋１００までの値をとり、ＣＭＹＫ値は、Ｃ（シアン）、Ｍ（マゼンタ）、Ｙ（イエロー）、Ｋ（黒）の各々について０〜１００％までの値をとる。Ｌ＊ａ＊ｂ＊値又はＣＭＹＫ値の横には、値を増減させるための＋ボタンと−ボタンが配置されている。これらボタンをオペレータが操作することによりそれぞれの値が変更される。
【００３５】
第２定義部７２は、特色を画像形成ユニット２４Ｓ１、２４Ｓ２で用いられるトナーの色である特殊色を用いて定義するユーザインターフェースである。オペレータが「特殊色トナーを使用する」とのチェックボックス７５にチェックを入れることにより、基本色と特殊色とを用いて特色の定義を行うことが可能となる。
【００３６】
第２定義部７２においては、ＣＭＹＫ色空間のＣＭＹＫ値（０〜１００％）、特殊色のトナーの配置位置、特殊色のトナーの種別、特殊色の値（０〜１００％）により特色を定義する。ＣＭＹＫ値及び特殊色の値については、値を増減させるための＋ボタンと−ボタンをオペレータが操作することにより値が変更される。特殊色のトナーの種別については、オペレータは、コンボボックス７８を操作することにより、予め定められた特殊色の中から選択する。特殊色の種別としては、例えば、金、銀、透明、白、オレンジなどが予め定められている。特殊色のトナーの配置位置については、オペレータは、コンボボックス７９を操作することにより、最背面、最前面、自動の３つの中から選択する。この配置位置の設定においては、最背面に設定すると、特色を基本色と特別色を用いて描画する際に、特殊色のトナーの種別で設定された色のトナーが記録媒体において最背面となり、最前面に設定すると、特殊色のトナーの種別で設定された色のトナーが記録媒体において最前面となる。
【００３７】
また、定義画面７０は、特色表示部７４を有する。この特色表示部７４は、第１定義部７１又は第２定義部７２で定義された特殊色を表示する。具体的には、チェックボックス７５にチェックが入っていない場合には、第１定義部７１において設定されたＬ＊ａ＊ｂ＊値又はＣＭＹＫ値がＲＧＢに変換されて特色表示部７４で表示される。また、チェックボックス７５にチェックが入っている場合には、第２定義部７２において設定されたＣＭＹＫ値と特殊色の値がそれぞれ別個にＲＧＢに変換され、それぞれが合成されて特色表示部７４で表示される。
【００３８】
また、定義画面７０は、登録ボタン７６とキャンセルボタン７７を有する。登録ボタン７６をクリックする操作が行われると、制御部１０１は、定義画面７０で行われた設定を記憶部１０２に登録する。キャンセルボタン７７をクリックする操作が行われると、制御部１０１は、定義画面７０で行われた設定を記憶部１０２に登録しない。
【００３９】
例えば、チェックボックス７５にチェックが入っている場合、制御部１０１（定義部１００１）は、特殊色のトナーを使用することを表す情報、第２定義部７２で設定されたＣＭＹＫ値、特殊色のトナーの配置位置、特殊色のトナーの種別、特殊色の値を、名称入力部７３に入力された名称に対応付けて特色データとして記憶部１０２に登録する。この登録により、特色が定義されたこととなる。また、チェックボックス７５にチェックが入っていない場合、制御部１０１は、特殊色のトナーを使用しないことを表す情報、第１定義部７１で設定されたＬ＊ａ＊ｂ＊値又はＣＭＹＫ値を、名称入力部７３に入力された名称に対応付けて特色データとして記憶部１０２に登録する。
【００４０】
次に、通信部１０５が受信した原稿データからラスタデータを生成するときの動作例について図７と図８に示したフローチャートを用いて説明する。制御部１０１は、通信部１０５が受信した原稿データに特色のオブジェクトが含まれているか判断する（ステップＳ１）。オブジェクトとは、例えば、文字、図、写真などである。
【００４１】
制御部１０１は、通信部１０５が受信した原稿データに特色のオブジェクトが含まれていない場合（ステップＳ１でＮＯ）、分版処理により原稿データから基本色であるイエロー、マゼンタ、シアン、黒の色毎に、画像形成部２０で形成する画像を表す版データを生成する（ステップＳ２）。次に、制御部１０１は、生成した各色の版データからラスタイメージであるラスタデータを生成する（ステップＳ３）。ここでは、制御部１０１は、イエローの版データからイエローのラスタデータを生成し、マゼンタの版データからマゼンタのラスタデータを生成し、シアンの版データからシアンのラスタデータを生成し、黒の版データから黒のラスタデータを生成する。そして制御部１０１は、生成したラスタデータを画像形成部２０へ供給する（ステップＳ４）。
【００４２】
制御部１０１は、通信部１０５が受信した原稿データが表す画像に特色のオブジェクトが含まれている場合（ステップＳ１でＹＥＳ）、含まれているオブジェクトに使用されている特色の名称を原稿データから取得し（ステップＳ５）、取得した名称が記憶部１０２に登録されているか判断する（ステップＳ６）。制御部１０１は、取得した名称が記憶部１０２に登録されていない場合（ステップＳ６でＮＯ）、エラー処理を実行する（ステップＳ７）。エラー処理は、例えば、定義されていない特色が原稿データに含まれていることを操作部１７のディスプレイ装置で表示する処理である。
【００４３】
制御部１０１は、オブジェクトに使用されている特色の名称が記憶部１０２に登録されている場合（ステップＳ６でＹＥＳ）、取得した名称に対応付けられて記憶部１０２に登録されている特色データを取得する（ステップＳ８）。
【００４４】
制御部１０１は、取得した特色データにおいて、特殊色のトナーを使用することを表す情報が含まれているか判断する（ステップＳ９）。制御部１０１は、取得した特色データにおいて、特殊色のトナーを使用することを表す情報が含まれていない場合（ステップＳ９でＮＯ）、分版処理により基本色であるイエロー、マゼンタ、シアン、黒の各色の版データと、特色の版データを生成する（ステップＳ１０）。具体的には、図９に示したように、原稿データ２００から、イエローの版の版データ２０１Ｙ、マゼンタの版の版データ２０１Ｍ、シアンの版の版データ２０１Ｃ、黒の版の版データ２０１Ｋ及び特色の版の版データ２０１ＳＰを生成する。ここで、特色を使用する領域（画素）がノックアウト（抜き合わせ）指定されている場合、当該領域の基本色の版データの画素値は０になっている。また、当該領域がオーバープリント（上書き、上乗せ）指定されている場合、当該領域の基本色の版データの画素値は下地色を表現する画素値になっている。
【００４５】
次に制御部１０１は、特色の版データを基本色の版データに合成するためのルックアップテーブルを、取得した特色データに含まれているＬ＊ａ＊ｂ＊値又はＣＭＹＫ値を用いて出力する（ステップＳ１１）。具体的には、図９に示したように、特色の版データ２０１ＳＰをイエローの版データ２０１Ｙに合成するためのルックアップテーブル２０２Ｙ、特色の版データＳＰをマゼンタの版データ２０１Ｍに合成するためのルックアップテーブル２０２Ｍ、特色の版データＳＰをシアンの版データ２０１Ｃに合成するためのルックアップテーブル２０２Ｃ及び特色の版データＳＰを黒の版データ２０１Ｋに合成するためのルックアップテーブル２０２Ｋを出力する。これらのルックアップテーブルにおいては、例えば、横軸は、特色の画素の画素値であり、縦軸は、合成先となる版データの画素の画素値に加算する値である。特色の版データを基本色の版データに合成するためのルックアップテーブルは、本発明に係る基本色変換テーブルの一例である。
【００４６】
次に制御部１０１は、特色の版データ２０１ＳＰを、基本色の版データ２０１Ｙ、２０１Ｍ、２０１Ｃ、２０１Ｋに合成する処理を行う（ステップＳ１２）。
具体的には、制御部１０１は、版データ２０１ＳＰの特色の画素の画素値でルックアップテーブル２０２Ｙを参照して版データ２０１Ｙのイエローの画素の画素値に加算する値を取得し、取得した値を版データ２０１Ｙのイエローの画素の画素値に加算する。
制御部１０１は、版データ２０１ＳＰの特色の画素の画素値でルックアップテーブル２０２Ｍを参照して版データ２０１Ｍのマゼンタの画素の画素値に加算する値を取得し、取得した値を版データ２０１Ｍのマゼンタの画素の画素値に加算する。
制御部１０１は、版データ２０１ＳＰの特色の画素の画素値でルックアップテーブル２０２Ｃを参照して版データ２０１Ｃのシアンの画素の画素値に加算する値を取得し、取得した値を版データ２０１Ｃのシアンの画素の画素値に加算する。
制御部１０１は、版データ２０１ＳＰの特色の画素の画素値でルックアップテーブル２０２Ｋを参照して版データ２０１Ｋの黒の画素の画素値に加算する値を取得し、取得した値を版データ２０１Ｋの黒の画素の画素値に加算する。
【００４７】
イエロー、マゼンタ、シアン、黒の版データの各画素の画素値に、ルックアップテーブルから得た値を加算することにより、基本色の版データのそれぞれに対して特色の版データが合成され、特色のオブジェクトを基本色を用いて描画するためのイエローの版データ２０３Ｃ、マゼンタの版データ２０３Ｍ、シアンの版データ２０３Ｙ及び黒の版データ２０３Ｋが生成される。
【００４８】
次に制御部１０１は、基本色の版データ２０３Ｙ、２０３Ｍ、２０３Ｃ、２０３Ｋから基本色のラスタデータを生成する（ステップＳ１３）。具体的には、制御部１０１は、版データ２０３Ｙからイエローのラスタデータ２０４Ｙを生成し、版データ２０３Ｍからマゼンタのラスタデータ２０４Ｍを生成し、版データ２０３Ｃからシアンのラスタデータ２０４Ｃを生成し、版データ２０３Ｋから黒のラスタデータ２０４Ｋを生成する。制御部１０１は、ラスタデータの生成を終えると、生成したラスタデータを画像形成部２０へ供給する（ステップＳ１４）。
【００４９】
制御部１０１は、取得した特色データにおいて、特殊色のトナーを使用することを表す情報が含まれている場合（ステップＳ９でＹＥＳ）、取得した特色データから特殊色のトナーの配置位置を取得する（ステップＳ１５）。次に制御部１０１は、ステップＳ１５で取得した配置位置から、特殊色のトナーの配置位置が記録媒体上で最前面又は最背面であるか判断する（ステップＳ１６）。制御部１０１は、特殊色のトナーの配置位置が最前面又は最背面である場合、ステップＳ１６でＹＥＳと判断する。
【００５０】
制御部１０１は、ステップＳ１６でＹＥＳと判断すると、特殊色のトナーの配置位置に従って、基本色（イエロー、マゼンタ、シアン、黒）の各色の版データと、特殊色の版データと、特色の版の版データを生成する（ステップＳ２１）。
【００５１】
ここで制御部１０１は、特色データから取得した特殊色のトナーの配置位置が、記録媒体上で最背面である場合、図１０に示したように、原稿データ２００から、記録媒体上で最背面となるトナー像を形成する画像形成ユニット２４Ｓ２で使用されている特殊色の版データ２０１Ｓ２、イエローの版の版データ２０１Ｙ、マゼンタの版の版データ２０１Ｍ、シアンの版の版データ２０１Ｃ、黒の版の版データ２０１Ｋ及び特色の版の版データ２０１ＳＰを生成する。ここで、特色を使用する領域（画素）がノックアウト（抜き合わせ）指定されている場合、当該領域の基本色の版データの画素値は０になっている。また、当該領域がオーバープリント（上書き、上乗せ）指定されている場合、当該領域の基本色の版データの画素値は下地色を表現する画素値になっている。特色と特殊色が一致する場合は、特色での記録が可能であることから特殊色の版の版データ２０１Ｓ２の画素値は特色の画素値を反映したものとなる。一方、特色と特殊色が一致しない場合は、特色を特殊色と基本色によって再現することとなり、この場合の特殊色の版の版データ２０１Ｓ２の画素値は０となる。
【００５２】
一方、制御部１０１は、特色データから取得した特殊色のトナーの配置位置が、記録媒体上で最前面である場合、図１１に示したように、原稿データ２００から、記録媒体上で最前面となるトナー像を形成する画像形成ユニット２４Ｓ１で使用されている特殊色の版データ２０１Ｓ１、イエローの版の版データ２０１Ｙ、マゼンタの版の版データ２０１Ｍ、シアンの版の版データ２０１Ｃ、黒の版の版データ２０１Ｋ及び特色の版の版データ２０１ＳＰを生成する。ここで、特色を使用する領域（画素）がノックアウト（抜き合わせ）指定されている場合、当該領域の基本色の版データの画素値は０になっている。また、当該領域がオーバープリント（上書き、上乗せ）指定されている場合、当該領域の基本色の版データの画素値は下地色を表現する画素値になっている。特色と特殊色が一致する場合は、特色での記録が可能であることから特殊色の版の版データ２０１Ｓ１の画素値は特色の画素値を反映したものとなる。一方、特色と特殊色が一致しない場合は、特色を特殊色と基本色によって再現することとなり、この場合の特殊色の版の版データ２０１Ｓ１の画素値は０となる。
【００５３】
次に制御部１０１は、特色データから取得した特殊色のトナーの配置位置に従って、特色の版データを基本色の版データ及び特殊色の版データに合成するためのルックアップテーブルを、取得した特色データに含まれているＣＭＹＫ値を用いて出力する（ステップＳ２２）。
【００５４】
ここで制御部１０１は、特色データから取得した特殊色のトナーの配置位置が最背面である場合、図１０に示したように、特色の版データ２０１ＳＰを特殊色の版データ２０１Ｓ２に合成するためのルックアップテーブル２０２Ｓａ、特色の版データ２０１ＳＰをイエローの版データ２０１Ｙに合成するためのルックアップテーブル２０２Ｙａ、特色の版データ２０１ＳＰをマゼンタの版データ２０１Ｍに合成するためのルックアップテーブル２０２Ｍａ、特色の版データ２０１ＳＰをシアンの版データ２０１Ｃに合成するためのルックアップテーブル２０２Ｃａ及び特色の版データ２０１ＳＰを黒の版データ２０１Ｋに合成するためのルックアップテーブル２０２Ｋａを出力する。これらのルックアップテーブルにおいては、例えば、横軸は、特色の画素の画素値であり、縦軸は、合成先となる版データの画素に加算する値である。特色の版データを特殊色の版データに合成するためのルックアップテーブルは、本発明に係る特殊色変換テーブルの一例である。
【００５５】
一方、制御部１０１は、特色データから取得した特殊色のトナーの配置位置が最前面である場合、図１１に示したように、特色の版データ２０１ＳＰをイエローの版データ２０１Ｙに合成するためのルックアップテーブル２０２Ｙｂ、特色の版データ２０１ＳＰをマゼンタの版データ２０１Ｍに合成するためのルックアップテーブル２０２Ｍｂ、特色の版データ２０１ＳＰをシアンの版データ２０１Ｃに合成するためのルックアップテーブル２０２Ｃｂ、特色の版データ２０１ＳＰを黒の版データ２０１Ｋに合成するためのルックアップテーブル２０２Ｋｂ及び特色の版データ２０１ＳＰを特殊色の版データ２０１Ｓ１に合成するためのルックアップテーブル２０２Ｓｂを出力する。
【００５６】
なお、特色データから取得した特殊色のトナーの配置位置が記録媒体上で最背面である場合と記録媒体上で最前面である場合とでは、基本色に対して特殊色のトナーの重なる位置が異なるため、出力されるルックアップテーブルが異なる。
【００５７】
次に制御部１０１は、特色の版データ２０１ＳＰを、基本色の版データと特殊色の版データに合成する（ステップＳ２７）。
具体的には、制御部１０１は、特色データから取得した特殊色のトナーの配置位置が最背面である場合、版データ２０１ＳＰの特色の画素の画素値でルックアップテーブル２０２Ｓａを参照して版データ２０１Ｓ２の特殊色の画素の画素値に加算する値を取得し、取得した値を版データ２０１Ｓ２の特殊色の画素の画素値に加算する。
制御部１０１は、版データ２０１ＳＰの特色の画素の画素値でルックアップテーブル２０２Ｙａを参照して版データ２０１Ｙのイエローの画素の画素値に加算する値を取得し、取得した値を版データ２０１Ｙのイエローの画素の画素値に加算する。
制御部１０１は、版データ２０１ＳＰの特色の画素の画素値でルックアップテーブル２０２Ｍａを参照して版データ２０１Ｍのマゼンタの画素の画素値に加算する値を取得し、取得した値を版データ２０１Ｍのマゼンタの画素の画素値に加算する。
制御部１０１は、版データ２０１ＳＰの特色の画素の画素値でルックアップテーブル２０２Ｃａを参照して版データ２０１Ｃのシアンの画素の画素値に加算する値を取得し、取得した値を版データ２０１Ｃのシアンの画素の画素値に加算する。
制御部１０１は、版データ２０１ＳＰの特色の画素の画素値でルックアップテーブル２０２Ｋａを参照して版データ２０１Ｋの黒の画素の画素値に加算する値を取得し、取得した値を版データ２０１Ｋの黒の画素の画素値に加算する。
【００５８】
イエロー、マゼンタ、シアン、黒、特殊色の版データの各画素の画素値に、ルックアップテーブルから得た画素値を加算することにより、基本色の版データと特殊色の版データに対して特色の版データが合成され、図１０に示したように、特色のオブジェクトを特殊色と基本色を用いて描画するための特殊色の版データ２０３Ｓ２、イエローの版データ２０３Ｙ、マゼンタの版データ２０３Ｍ、シアンの版データ２０３Ｃ及び黒の版データ２０３Ｋが生成される。
【００５９】
一方、制御部１０１は、特色データから取得した特殊色のトナーの配置位置が最前面である場合、版データ２０１ＳＰの特色の画素の画素値でルックアップテーブル２０２Ｓｂを参照して版データ２０１Ｓ１の特殊色の画素の画素値に加算する値を取得し、取得した値を版データ２０１Ｓ１の特殊色の画素の画素値に加算する。
制御部１０１は、版データ２０１ＳＰの特色の画素の画素値でルックアップテーブル２０２Ｙｂを参照して版データ２０１Ｙのイエローの画素の画素値に加算する値を取得し、取得した値を版データ２０１Ｙのイエローの画素の画素値に加算する。
制御部１０１は、版データ２０１ＳＰの特色の画素の画素値でルックアップテーブル２０２Ｍｂを参照して版データ２０１Ｍのマゼンタの画素の画素値に加算する値を取得し、取得した値を版データ２０１Ｍのマゼンタの画素の画素値に加算する。
制御部１０１は、版データ２０１ＳＰの特色の画素の画素値でルックアップテーブル２０２Ｃｂを参照して版データ２０１Ｃのシアンの画素の画素値に加算する値を取得し、取得した値を版データ２０１Ｃのシアンの画素の画素値に加算する。
制御部１０１は、版データ２０１ＳＰの特色の画素の画素値でルックアップテーブル２０２Ｋｂを参照して版データ２０１Ｋの黒の画素の画素値に加算する値を取得し、取得した値を版データ２０１Ｋの黒の画素の画素値に加算する。
【００６０】
イエロー、マゼンタ、シアン、黒、特殊色の版データの各画素の画素値に、ルックアップテーブルから得た画素値を加算することにより、基本色の版データと特殊色の版データに対して特色の版データが合成され、図１１に示したように、特色のオブジェクトを特殊色と基本色を用いて描画するための特殊色の版データ２０３Ｓ１、イエローの版データ２０３Ｙ、マゼンタの版データ２０３Ｍ、シアンの版データ２０３Ｃ及び黒の版データ２０３Ｋが生成される。
【００６１】
次に制御部１０１は、版データからラスタデータを生成する（ステップＳ２８）。具体的には、制御部１０１は、特色データから取得した特殊色のトナーの配置位置が最背面である場合、版データ２０３Ｓ２から特殊色のラスタデータ２０４Ｓ２を生成し、版データ２０３Ｙからイエローのラスタデータ２０４Ｙを生成し、版データ２０３Ｍからマゼンタのラスタデータ２０４Ｍを生成し、版データ２０３Ｃからシアンのラスタデータ２０４Ｃを生成し、版データ２０３Ｋから黒のラスタデータ２０４Ｋを生成する。
【００６２】
一方、制御部１０１は、特色データから取得した特殊色のトナーの配置位置が最前面である場合、版データ２０３Ｓ１から特殊色のラスタデータ２０４Ｓ１を生成し、版データ２０３Ｙからイエローのラスタデータ２０４Ｙを生成し、版データ２０３Ｍからマゼンタのラスタデータ２０４Ｍを生成し、版データ２０３Ｃからシアンのラスタデータ２０４Ｃを生成し、版データ２０３Ｋから黒のラスタデータ２０４Ｋを生成する。
【００６３】
制御部１０１は、ラスタデータの生成を終えると、生成したラスタデータを画像形成部２０へ供給する（ステップＳ２９）。なお、ラスタデータ２０４Ｓ１は、画像形成部２０において光走査装置３４Ｓ１へ供給され、ラスタデータ２０４Ｓ２は、光走査装置３４Ｓ２へ供給される。
【００６４】
制御部１０１は、特色データから取得した特殊色のトナーの配置位置が自動となっている場合、ステップＳ１６でＮＯと判断する。制御部１０１（取得部１００２）は、ステップＳ１６でＮＯと判断すると、画像形成部２０と通信を行い、画像形成ユニット２４Ｓ１で使用されているトナーの種別（色）を表す情報と、画像形成ユニット２４Ｓ２で使用されているトナーの種別（色）を表す情報を画像形成部２０へ要求して取得する（ステップＳ１７）。基本色のトナー像を形成する画像形成ユニット２４と特殊色のトナー像を形成する画像形成ユニット２４との位置関係は予め定まっているため、この取得する情報により、中間転写ベルト２２に対する基本色のトナー像と特殊色のトナーの転写の順番が分かり、基本色のトナー像に対する特殊色のトナー像の上下の重なりの位置関係が分かることとなる。
【００６５】
制御部１０１は、ステップＳ１７で取得した情報を用い、記録媒体上で最前面となるトナー像を形成する画像形成ユニット（画像形成ユニット２４Ｓ１）で使用されているトナーの種別と、特色データに含まれている特殊色のトナーの種別とが一致するか判断する（ステップＳ１８）。
【００６６】
制御部１０１は、記録媒体上で最前面となるトナー像を形成する画像形成ユニット（画像形成ユニット２４Ｓ１）で使用されているトナーの種別と、特色データに含まれている特殊色のトナーの種別とが一致する場合（ステップＳ１８でＹＥＳ）、基本色のトナーと記録媒体上で最前面となる特殊色のトナーを用いて特色を描画するように、基本色の各色の版データと、特殊色の版データと、特色の版の版データを生成する（ステップＳ２３）。具体的には、制御部１０１は、図１１に示したように、特色の版データ２０１ＳＰ、特殊色の版データ２０１Ｓ１、イエローの版データ２０１Ｙ、マゼンタの版データ２０１Ｍ、シアンの版データ２０１Ｃ及び黒の版データ２０１Ｋを生成する。
【００６７】
次に制御部１０１（出力部１００３）は、基本色のトナーと記録媒体上で最前面となる特殊色のトナーを用いて特色を描画するように、ルックアップテーブルを出力する（ステップＳ２４）。具体的には、制御部１０１は、図１１に示したように、ルックアップテーブル２０２Ｓｂ、ルックアップテーブル２０２Ｙｂ、ルックアップテーブル２０２Ｍｂ、ルックアップテーブル２０２Ｃｂ及びルックアップテーブル２０２Ｋｂを出力する。
【００６８】
次に制御部１０１は、特色の版データ２０１ＳＰを、基本色の版データ２０１Ｙ、２０１Ｍ、２０１Ｃ、２０１Ｋと特殊色の版データ２０１Ｓ１に合成する処理を行う（ステップＳ２７）。
【００６９】
イエロー、マゼンタ、シアン、黒、特殊色の版データの各画素の画素値に、ルックアップテーブルから得た値を加算することにより、基本色の版データと特殊色の版データに対して特色の版データが合成され、図１１に示したように、特色のオブジェクトを基本色と特殊色を用いて描画するための特殊色の版データ２０３Ｓ１、イエローの版データ２０３Ｙ、マゼンタの版データ２０３Ｍ、シアンの版データ２０３Ｃ及び黒の版データ２０３Ｋが生成される。
【００７０】
次に制御部１０１は、版データからラスタデータを生成する（ステップＳ２８）。具体的には、制御部１０１は、図１１に示したように、特殊色のラスタデータ２０４Ｓ１、イエローのラスタデータ２０４Ｙ、マゼンタのラスタデータ２０４Ｍ、シアンのラスタデータ２０４Ｃ、黒のラスタデータ２０４Ｋを生成する。
【００７１】
制御部１０１は、ラスタデータの生成を終えると、生成したラスタデータを画像形成部２０へ供給する（ステップＳ２１）。なお、ラスタデータ２０４Ｓ１は、画像形成部２０において光走査装置３４Ｓ１へ供給される。
【００７２】
制御部１０１は、記録媒体上で最前面となるトナー像を形成する画像形成ユニット（画像形成ユニット２４Ｓ１）で使用されるトナーの種別と、特色データに含まれている特殊色のトナーの種別とが一致しない場合（ステップＳ１８でＮＯ）、ステップＳ１７で取得した情報を用い、記録媒体上で最背面となるトナー像を形成する画像形成ユニット（画像形成ユニット２４Ｓ２）で使用されるトナーの種別と、特色データに含まれている特殊色のトナーの種別とが一致するか判断する（ステップＳ１９）。
【００７３】
制御部１０１は、記録媒体上で最背面となるトナー像を形成する画像形成ユニット（画像形成ユニット２４Ｓ２）で使用されるトナーの種別と、特色データに含まれている特殊色のトナーの種別とが一致する場合（ステップＳ１９でＹＥＳ）、基本色のトナーと記録媒体上で最背面となる特殊色のトナーを用いて特色を描画するように、基本色の各色の版データと、特殊色の版データと、特色の版の版データを生成する（ステップＳ２５）。具体的には、制御部１０１は、図１０に示したように、特色の版データ２０１ＳＰ、特殊色の版データ２０１Ｓ２、イエローの版データ２０１Ｙ、マゼンタの版データ２０１Ｍ、シアンの版データ２０１Ｃ及び黒の版データ２０１Ｋを生成する。
【００７４】
次に制御部１０１（出力部１００３）は、基本色のトナーと記録媒体上で最背面となる特殊色のトナーを用いて特色を描画するように、ルックアップテーブルを出力する（ステップＳ２６）。具体的には、制御部１０１は、図１０に示したように、ルックアップテーブル２０２Ｓａ、ルックアップテーブル２０２Ｙａ、ルックアップテーブル２０２Ｍａ、ルックアップテーブル２０２Ｃａ及びルックアップテーブル２０２Ｋａを出力する。
【００７５】
次に制御部１０１は、特色の版データ２０１ＳＰを、基本色の版データ２０１Ｙ、２０１Ｍ、２０１Ｃ、２０１Ｋと特殊色の版データ２０１Ｓ２に合成する処理を行う（ステップＳ２７）。
【００７６】
イエロー、マゼンタ、シアン、黒、特殊色の版データの各画素の画素値に、ルックアップテーブルから得た画素値を加算することにより、基本色の版データと特殊色の版データに対して特色の版データが合成され、図１０に示したように、特色のオブジェクトを基本色と特殊色を用いて描画するための特殊色の版データ２０３Ｓ２、イエローの版データ２０３Ｙ、マゼンタの版データ２０３Ｍ、シアンの版データ２０３Ｃ及び黒の版データ２０３Ｋが生成される。
【００７７】
次に制御部１０１は、版データからラスタデータを生成する（ステップＳ２８）。具体的には、制御部１０１は、特殊色のラスタデータ２０４Ｓ２、イエローのラスタデータ２０４Ｙ、マゼンタのラスタデータ２０４Ｍ、シアンのラスタデータ２０４Ｃ、黒のラスタデータ２０４Ｋを生成する。
【００７８】
制御部１０１は、ラスタデータの生成を終えると、生成したラスタデータを画像形成部２０へ供給する（ステップＳ２１）。なお、ラスタデータ２０４Ｓ２は、画像形成部２０において光走査装置３４Ｓ２へ供給される。
【００７９】
制御部１０１は、記録媒体上で最背面となるトナー像を形成する画像形成ユニット（画像形成ユニット２４Ｓ２）で使用されるトナーの種別と、特色データに含まれている特殊色のトナーの種別とが一致しない場合（ステップＳ１９でＮＯ）、エラー処理を実行する（ステップＳ２０）。エラー処理は、例えば、特色を擬似的に描画するために用いる特殊色のトナーが画像形成部２０で用いられていないことを操作部１７のディスプレイ装置で表示する処理である。
【００８０】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００８１】
画像形成部２０においては、画像形成ユニット２４Ｓ１で使用するトナーと画像形成ユニット２４Ｓ２で使用するトナーとを同じ特殊色とすることが可能である。制御部１０１は、ステップＳ１７で画像形成部２０から画像形成ユニット２４Ｓ１で使用されているトナーの種別（色）を表す情報と、画像形成ユニット２４Ｓ２で使用されているトナーの種別（色）を表す情報を取得し、特色データに含まれている特殊色のトナーの種別と、画像形成ユニット２４Ｓ１で使用されているトナーの種別と、画像形成ユニット２４Ｓ１で使用されているトナーの種別とが全て同じであると判断した場合、ステップＳ２３に処理の流れを移し、基本色と記録媒体上で最前面となる特殊色を用いて特色が描画されるようにしてもよい。
また、制御部１０１は、この場合、ステップＳ２３に処理の流れを移すのではなく、ステップＳ２５へ処理の流れを移し、基本色と記録媒体上で最背面となる特殊色を用いて特色が描画されるようにしてもよい。
【００８２】
また、制御部１０１は、ステップＳ１７で画像形成部２０から画像形成ユニット２４Ｓ１で使用されているトナーの種別（色）を表す情報と、画像形成ユニット２４Ｓ２で使用されているトナーの種別（色）を表す情報を取得し、特色データに含まれている特殊色のトナーの種別と、画像形成ユニット２４Ｓ１で使用されているトナーの種別と、画像形成ユニット２４Ｓ１で使用されているトナーの種別とが全て同じであると判断した場合、記録媒体上で最前面となる特殊色のトナーと記録媒体上で最背面となる特殊色のトナーの両方を用いて特色が描画されるように版データとルックアップテーブルを出力し、これらの版データとルックアップテーブルを用いてラスタデータを生成してもよい。
【００８３】
具体的には、制御部１０１は、図１２に示したように、原稿データ２００から、記録媒体上で最前面となるトナー像を形成する画像形成ユニット２４Ｓ１で使用されている特殊色の版データ２０１Ｓ１、記録媒体上で最背面となるトナー像を形成する画像形成ユニット２４Ｓ２で使用されている特殊色の版データ２０１Ｓ２、イエローの版の版データ２０１Ｙ、マゼンタの版の版データ２０１Ｍ、シアンの版の版データ２０１Ｃ、黒の版の版データ２０１Ｋ及び特色の版の版データ２０１ＳＰを生成する。
【００８４】
次に制御部１０１は、特色の版データを基本色の版データ及び特殊色の版データに合成するためのルックアップテーブルを、特色データに含まれているＣＭＹＫ値を用いて出力する。具体的には、制御部１０１は、特色の版データ２０１ＳＰを特殊色の版データ２０１Ｓ１に合成するためのルックアップテーブル２０２Ｓ１ｃ、特色の版データ２０１ＳＰを特殊色の版データ２０１Ｓ２に合成するためのルックアップテーブル２０２Ｓ２ｃ、特色の版データ２０１ＳＰをイエローの版データ２０１Ｙに合成するためのルックアップテーブル２０２Ｙｃ、特色の版データ２０１ＳＰをマゼンタの版データ２０１Ｍに合成するためのルックアップテーブル２０２Ｍｃ、特色の版データ２０１ＳＰをシアンの版データ２０１Ｃに合成するためのルックアップテーブル２０２Ｃｃ及び特色の版データ２０１ＳＰを黒の版データ２０１Ｋに合成するためのルックアップテーブル２０２Ｋｃを出力する。
【００８５】
次に制御部１０１は、特色の版データ２０１ＳＰを、基本色の版データと特殊色の版データに合成する。
具体的には、制御部１０１は、版データ２０１ＳＰの特色の画素の画素値でルックアップテーブル２０２Ｓ１ｃを参照して版データ２０１Ｓ１の特殊色の画素の画素値に加算する値を取得し、取得した値を版データ２０１Ｓ１の特殊色の画素の画素値に加算する。
制御部１０１は、版データ２０１ＳＰの特色の画素の画素値でルックアップテーブル２０２Ｓ２ｃを参照して版データ２０１Ｓ２の特殊色の画素の画素値に加算する値を取得し、取得した値を版データ２０１Ｓ２の特殊色の画素の画素値に加算する。
制御部１０１は、版データ２０１ＳＰの特色の画素の画素値でルックアップテーブル２０２Ｙｃを参照して版データ２０１Ｙのイエローの画素の画素値に加算する値を取得し、取得した値を版データ２０１Ｙのイエローの画素の画素値に加算する。
制御部１０１は、版データ２０１ＳＰの特色の画素の画素値でルックアップテーブル２０２Ｍｃを参照して版データ２０１Ｍのマゼンタの画素の画素値に加算する値を取得し、取得した値を版データ２０１Ｍのマゼンタの画素の画素値に加算する。
制御部１０１は、版データ２０１ＳＰの特色の画素の画素値でルックアップテーブル２０２Ｃｃを参照して版データ２０１Ｃのシアンの画素の画素値に加算する値を取得し、取得した値を版データ２０１Ｃのシアンの画素の画素値に加算する。
制御部１０１は、版データ２０１ＳＰの特色の画素の画素値でルックアップテーブル２０２Ｋｃを参照して版データ２０１Ｋの黒の画素の画素値に加算する値を取得し、取得した値を版データ２０１Ｋの黒の画素の画素値に加算する。
【００８６】
イエロー、マゼンタ、シアン、黒、特殊色の版データの各画素の画素値に、ルックアップテーブルから得た画素値を加算することにより、基本色の版データと特殊色の版データに対して特色の版データが合成され、図１２に示したように、特色のオブジェクトを基本色と特殊色を用いて描画するための特殊色の版データ２０３Ｓ１、特殊色の版データ２０３Ｓ２、イエローの版データ２０３Ｙ、マゼンタの版データ２０３Ｍ、シアンの版データ２０３Ｃ及び黒の版データ２０３Ｋが生成される。
【００８７】
次に制御部１０１は、版データからラスタデータを生成する。具体的には、制御部１０１は、版データ２０３Ｓ１から特殊色のラスタデータ２０４Ｓ１を生成し、版データ２０３Ｓ２から特殊色のラスタデータ２０４Ｓ２を生成し、版データ２０３Ｙからイエローのラスタデータ２０４Ｙを生成し、版データ２０３Ｍからマゼンタのラスタデータ２０４Ｍを生成し、版データ２０３Ｃからシアンのラスタデータ２０４Ｃを生成し、版データ２０３Ｋから黒のラスタデータ２０４Ｋを生成する。制御部１０１は、ラスタデータの生成を終えると、生成したラスタデータを画像形成部２０へ供給する。この変形例によれば、特殊色のトナーが最背面と最前面に配置され、最背面又は最前面のみに特殊色のトナーを配置する場合と比較して、特殊色の濃度が濃くなることとなる。
【００８８】
また、特色データに含まれている特殊色のトナーの種別と、画像形成ユニット２４Ｓ１で使用されているトナーの種別と、画像形成ユニット２４Ｓ１で使用されているトナーの種別とが全て同じである場合、どの配置位置の特殊色のトナーを使用するかを特色毎に設定してもよい。
例えば、制御部１０１は、ステップＳ１７で情報を取得した後、特色Ａについては予め行われた設定に応じてステップＳ２３に処理の流れを移し、特色Ｂについては予め行われた設定に応じてステップＳ２５に処理の流れを移すというように、特色毎に処理を替えてもよい。また、特色Ｃについては、上述したように、記録媒体上で最前面となる特殊色のトナーと記録媒体上で最背面となる特殊色のトナーの両方及び基本色のトナーを用いて特色が描画されるように版データとルックアップテーブルを出力し、これらの版データとルックアップテーブルを用いてラスタデータを生成してもよい。
【００８９】
本発明においては、制御部１０１は、画像形成部２０から画像形成ユニット２４Ｓ１で使用されているトナーの種別（色）を表す情報と、画像形成ユニット２４Ｓ２で使用されているトナーの種別（色）を表す情報を取得する際に、これらの情報を画像形成部２０に要求しているが、この構成に限定されるものではない。例えば、画像形成部２０は、画像形成部２０から画像形成ユニット２４Ｓ１で使用されているトナーの種別（色）を表す情報と、画像形成ユニット２４Ｓ２で使用されているトナーの種別（色）を表す情報を予め定められた周期で画像処理装置１２へ送信し、制御部１０１は、画像形成部２０から予め定められた周期で送信されるこれらの情報を記憶部１０２に記憶させるようにしてもよい。この構成の場合、制御部１０１は、ステップＳ１７の処理の際に、記憶部１０２に記憶されている情報を取得する。この構成でも、制御部１０１は、画像形成部２０から画像形成ユニット２４Ｓ１で使用されているトナーの種別（色）を表す情報と、画像形成ユニット２４Ｓ２で使用されているトナーの種別（色）を表す情報を取得する。
【００９０】
上記実施形態に係る画像形成部２０は、電子写真方式により記録媒体に画像を形成しているが、例えばインクジェット方式などの他の方式で記録媒体に画像を形成する構成であってもよい。
【００９１】
本発明においては、画像処理装置１２と画像形成装置１４を一体化して、画像形成装置としてもよい。
【００９２】
本発明においては、原稿データから取得した特色の名称、ステップＳ１７で取得した情報、特色データとステップＳ１７で取得した情報に応じて出力したルックアップテーブルとを対応付けて記憶部１０２に登録してもよい。この構成の場合、例えば、制御部１０１は、原稿データからラスタデータを出力する際に、原稿データに含まれている特色のオブジェクトにおける特色の名称を取得し、画像形成ユニット２４Ｓ１で使用されているトナーの種別（色）を表す情報と、画像形成ユニット２４Ｓ２で使用されているトナーの種別（色）を表す情報を画像形成部２０から取得する。制御部１０１は、取得した特色の名称と、画像形成部２０から取得した情報の組と同じ組が記憶部１０２に登録されている場合、取得した特色の名称に対応付けて登録されているルックアップテーブルを出力し、特色の版データを基本色の版データと特色の版データに合成してもよい。
【００９３】
上述した実施形態や変形例に係る画像処理装置１２の制御部１０１が実現する各機能は、１又は複数のハードウェア回路により実現されてもよいし、１又は複数のプログラムを演算装置が実行することにより実現されてよいし、これらの組み合わせにより実現されてもよい。制御部１０１の機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリ等のコンピュータ読取可能な記録媒体に記憶した状態で提供されてもよいし、通信回線を介して配信されてもよい。
【符号の説明】
【００９４】
１…画像形成システム、１２…画像処理装置、１４…画像形成装置、１６…後処理装置、１７…操作部、１８…記録媒体供給部、２０…画像形成部、２４、２４Ｓ１、２４Ｓ２、２４Ｙ、２４Ｍ、２４Ｃ、２４Ｋ…画像形成ユニット、３４、３４Ｓ１、３４Ｓ２、３４Ｙ、３４Ｍ、３４Ｃ、３４Ｋ…光走査装置、１０１…制御部、１０２…記憶部、１０５…通信部、１００１…定義部、１００２…取得部、１００３…出力部。
【図１】
2019186603.tif 000003
【図２】
2019186603.tif 000004
【図３】
2019186603.tif 000005
【図４】
2019186603.tif 000006
【図５】
2019186603.tif 000007
【図６】
2019186603.tif 000008
【図７】
2019186603.tif 000009
【図８】
2019186603.tif 000010
【図９】
2019186603.tif 000011
【図１０】
2019186603.tif 000012
【図１１】
2019186603.tif 000013
【図１２】
2019186603.tif 000014